(57)【要約】【課題】インク収容体にインクが残ってしまうことを抑制することができる印刷装置を提供する。【解決手段】記憶素子５３および可撓性のインクパック５１を有するインクカートリッジ５０を保持可能なスロット２１と、スロット２１に保持されたインクカートリッジ５０のインクパック５１に収容されたＵＶインクを、サブタンク２３に送液するタンク送液ポンプ２４と、インクパック５１について、タンク送液ポンプ２４が稼動してもサブタンク２３にＵＶインクが送液されない送液不可状態を検出するインクエンドセンサー２５と、記憶素子５３に情報を書き込むことが可能なカートリッジ制御回路２７と、送液不可状態が検出されると、書込み条件が満たされている場合に、インクエンド状態を記憶素子５３に書き込み、書込み条件が満たされていない場合に、インクエンド状態を記憶素子５３に書き込まないようにカートリッジ制御回路２７を制御する制御部２９とを備えた。【選択図】図２
2016163983.tif 000002
【特許請求の範囲】
【請求項１】
記憶素子、および可撓性のインク収容体、を有するインク収容部を保持可能な保持部と、
前記保持部に保持された前記インク収容部の前記インク収容体に収容されたインクを、インク送液先に送液するインク送液部と、
前記インク収容体について、前記インク送液部が稼動しても前記インク送液先にインクが送液されない送液不可状態を検出する検出部と、
前記保持部に保持された前記インク収容部の前記記憶素子に情報を書き込むことが可能な書込み部と、
前記送液不可状態が検出されると、書込み条件が満たされている場合に、インクエンド状態を前記記憶素子に書き込み、前記書込み条件が満たされていない場合に、前記インクエンド状態を前記記憶素子に書き込まないように前記書込み部を制御する制御部と、
を備えたことを特徴とする印刷装置。
【請求項２】
前記書込み部は、前記送液不可状態が検出されると、当該送液不可状態の検出が、前記インク収容体についてｎ回目（ｎは２以上の所定の自然数）の前記送液不可状態の検出であることを、前記書込み条件として、前記インクエンド状態を前記記憶素子に書き込むことを特徴とする請求項１に記載の印刷装置。
【請求項３】
前記送液不可状態が検出されると、前記制御部は、仮インクエンド状態が前記記憶素子に書き込まれているか否かを判断し、
前記書込み部は、前記仮インクエンド状態が前記記憶素子に書き込まれていると判断されたことを、前記書込み条件として、前記インクエンド状態を前記記憶素子に書き込み、前記仮インクエンド状態が前記記憶素子に書き込まれていないと判断された場合に、前記仮インクエンド状態を前記記憶素子に書き込むことを特徴とする請求項１に記載の印刷装置。
【請求項４】
複数の前記保持部のなかから、前記インク送液先への送液源となる前記保持部を切り替える切替部、をさらに備え、
前記制御部は、複数の前記保持部のなかから、一の前記保持部を、送液保持部として選択し、前記送液保持部として選択された前記保持部が、前記インク送液先への送液源となるように、前記切替部を制御し、
前記制御部は、複数の前記保持部のなかに、前記インク収容体について前記記憶素子に前記仮インクエンド状態が書き込まれている前記保持部と、前記インク収容体について前記送液不可状態が検出されていない前記保持部と、が含まれる場合、前記仮インクエンド状態が書き込まれている前記保持部を、前記送液保持部として選択することを特徴とする請求項３に記載の印刷装置。
【請求項５】
前記書込み部は、前記インクエンド状態の前記記憶素子への書込みを許可する書込み指示がユーザーによって為されたことを、前記書込み条件として、前記インクエンド状態を前記記憶素子に書き込むことを特徴とする請求項１に記載の印刷装置。
【発明の詳細な説明】
【技術分野】
【０００１】
本発明は、インク収容部に収容されたインクをインク送液先に送液する印刷装置に関するものである。
【背景技術】
【０００２】
従来、装着されたインクカートリッジについて、インク残量が略「０」であることを検出した場合、記録ヘッドの吐出動作を行うことなく、記録ヘッドをキャッピングするようにしたインクジェットプリンターが知られている。このインクジェットプリンターでは、例えば、あるインクカートリッジのインク残量が所定量以下となったため、ユーザーが、そのインクカートリッジをインクジェットプリンターから取り外したものの、買い置きの新品のインクカートリッジが無かったため、一旦外したインクカートリッジを再度取り付けた場合にも、記録ヘッドが吐出動作を行うことがない。これにより、記録ヘッド内に気泡が入り込むことがなく、記録ヘッドの故障を引き起こすことが防止されている（特許文献１参照）。
【先行技術文献】
【特許文献】
【０００３】
【特許文献１】特開２００４−０５０５０３号公報
【発明の概要】
【発明が解決しようとする課題】
【０００４】
本発明者は、インク収容体について、インク送液部が稼動してもインク送液先にインクが送液されない状態（以下「送液不可状態」という。）を検出すると、インクエンド状態を記憶素子に書き込み、インクエンド状態が記憶素子に書き込まれたインク収容部のインク収容体からインク送液先にインクを送液しないようにした記録装置において、以下の課題を見出した。
インク収容体に意図されていない部分で折れが生じると、その折れによってインク収容体の内部が分断されてしまい、分断されたところまでしかインクが送液されなくなる。この場合、そのインク収容体について、インクがまだ残っている段階で、送液不可状態が検出されることになるが、この段階では、ユーザーがインク収容体の折れを直すことにより、インク収容体を、インク送液部が稼動すればインク送液先にインクが送液される状態（以下「送液可能状態」という。）に戻すことが可能である。しかしながら、インク収容体が送液可能状態に戻ったとしても、送液不可状態の検出後にインク収容部の記憶素子にインクエンド状態が書き込まれると、そのインク収容体からインク送液先にインクが送液されなくなるため、インク収容体にインクが残ってしまう。
【０００５】
本発明は、インク収容体にインクが残ってしまうことを抑制することができる印刷装置を提供することを課題としている。
【課題を解決するための手段】
【０００６】
本発明の印刷装置は、記憶素子、および可撓性のインク収容体、を有するインク収容部を保持可能な保持部と、保持部に保持されたインク収容部のインク収容体に収容されたインクを、インク送液先に送液するインク送液部と、インク収容体について、インク送液部が稼動してもインク送液先にインクが送液されない送液不可状態を検出する検出部と、保持部に保持されたインク収容部の記憶素子に情報を書き込むことが可能な書込み部と、送液不可状態が検出されると、書込み条件が満たされている場合に、インクエンド状態を記憶素子に書き込み、書込み条件が満たされていない場合に、インクエンド状態を記憶素子に書き込まないように書込み部を制御する制御部と、を備えたことを特徴とする。
【０００７】
この構成によれば、書込み条件が満たされていない場合に、検出部により送液不可状態が検出されても、書込み部により記憶素子にインクエンド状態が書き込まれない。このため、書込み条件が満たされていない場合には、インク収容体にインクが残っている段階で送液不可状態が検出されたとしても、検出後に記憶素子にインクエンド状態が書き込まれないため、インク収容体が送液可能状態に戻れば、そのインク収容体からインク送液先にインクが再び送液される。したがって、印刷装置は、インク収容体にインクが残ってしまうことを抑制することができる。
【０００８】
この場合、書込み部は、送液不可状態が検出されると、当該送液不可状態の検出が、インク収容体についてｎ回目（ｎは２以上の所定の自然数）の送液不可状態の検出であることを、書込み条件として、インクエンド状態を記憶素子に書き込むことが好ましい。
【０００９】
この構成によれば、（ｎ−１）回目までの送液不可状態については、検出部により送液不可状態が検出されても、書込み部により記憶素子にインクエンド状態が書き込まれない。このため、（ｎ−１）回目までの送液不可状態については、インク収容体にインクが残っている段階で送液不可状態が検出されたとしても、検出後に記憶素子にインクエンド状態が書き込まれないため、インク収容体が送液可能状態に戻れば、そのインク収容体からインク送液先にインクが再び送液される。したがって、印刷装置は、インク収容体にインクが残ってしまうことを抑制することができる。
【００１０】
この場合、送液不可状態が検出されると、制御部は、仮インクエンド状態が記憶素子に書き込まれているか否かを判断し、書込み部は、仮インクエンド状態が記憶素子に書き込まれていると判断されたことを、書込み条件として、インクエンド状態を記憶素子に書き込み、仮インクエンド状態が記憶素子に書き込まれていないと判断された場合に、仮インクエンド状態を記憶素子に書き込むことが好ましい。
【００１１】
この構成によれば、検出部により１回目の送液不可状態が検出されると、記憶素子に仮インクエンド状態が書き込まれていないため、書込み部により記憶素子に仮インクエンド状態が書き込まれる。そして、検出部により２回目の送液不可状態が検出されると、記憶素子に仮インクエンド状態が書き込まれているため、書込み部により記憶素子にインクエンド状態が書き込まれる。このため、１回目の送液不可状態については、インク収容体にインクが残っている段階で送液不可状態が検出されたとしても、検出後に記憶素子にインクエンド状態が書き込まれないため、インク収容体が送液可能状態に戻れば、そのインク収容体からインク送液先にインクが再び送液される。したがって、印刷装置は、インク収容体にインクが残ってしまうことを抑制することができる。
【００１２】
この場合、複数の保持部のなかから、インク送液先への送液源となる保持部を切り替える切替部、をさらに備え、制御部は、複数の保持部のなかから、一の保持部を、送液保持部として選択し、送液保持部として選択された保持部が、インク送液先への送液源となるように、切替部を制御し、制御部は、複数の保持部のなかに、インク収容体について記憶素子に仮インクエンド状態が書き込まれている保持部と、インク収容体について送液不可状態が検出されていない保持部と、が含まれる場合、仮インクエンド状態が書き込まれている保持部を、送液保持部として選択することが好ましい。
【００１３】
インク収容体は、インク残量が少なくなった場合に、送液不可状態となりやすい。
この点、本構成によれば、複数のインク収容部のなかから、インク残量の少ない、送液不可状態が検出され仮インクエンド状態が書き込まれたインク収容部が、使用収容部として選択されることになる。したがって、印刷装置は、送液不可状態が検出されていないインク収容部に比べ、インク残量が少なく、使用期限がより迫っていると考えられる、送液不可状態が検出され仮インクエンド状態が書き込まれたインク収容部を、優先的に使用することができる。
【００１４】
この場合、書込み部は、インクエンド状態の記憶素子への書込みを許可する書込み指示がユーザーによって為されたことを、書込み条件として、インクエンド状態を記憶素子に書き込むことが好ましい。
【００１５】
この構成によれば、書込み指示が為されない場合には、検出部により送液不可状態が検出されても、書込み部により記憶素子にインクエンド状態が書き込まれない。このため、インク収容体にインクが残っている段階で送液不可状態が検出されたとしても、書込み指示が為されなければ、検出後に記憶素子にインクエンド状態が書き込まれないため、インク収容体が送液可能状態に戻れば、インク収容体からインク送液先にインクが再び送液される。したがって、印刷装置は、インク収容体にインクが残ってしまうことを抑制することができる。
【図面の簡単な説明】
【００１６】
【図１】本発明の一実施形態に係る印刷装置の構成図である。
【図２】図１に示した印刷装置に備えられたインク供給部の構成図である。
【図３】図１に示した印刷装置が実行するカートリッジ管理処理を示すフローチャートである。
【図４】カートリッジ管理処理のサブルーチンである送液スロット切替処理の一部を示すフローチャートである。
【図５】送液スロット切替処理の一部を示すフローチャートである。
【発明を実施するための形態】
【００１７】
以下、添付の図面を参照して、本発明の一実施形態に係る印刷装置１について説明する。
【００１８】
図１を参照して、印刷装置１の全体構成について説明する。印刷装置１は、セットされた印刷媒体１００に対して、紫外線硬化インク（以下「ＵＶインク」という。）を吐出することにより印刷を行う。印刷媒体１００は、帯状の連続紙である。なお、印刷媒体１００の材質としては、特に限定されるものではなく、紙系、フィルム系など、種々のものが用いられる。
【００１９】
印刷装置１は、送り部２と、インク吐出部３と、照射部４とを備えている。また、印刷装置１は、図１では図示省略したが、インク吐出部３にＵＶインクを供給するインク供給部５（図２参照）を備えている。
【００２０】
送り部２は、ロール・ツー・ロール方式で、印刷媒体１００を送る。送り部２は、繰出しリール６と、巻取りリール７と、回転ドラム８と、複数のローラー９とを備えている。繰出しリール６から繰り出された印刷媒体１００は、回転ドラム８および複数のローラー９を経て、巻取りリール７に巻き取られる。回転ドラム８は、図示しない支持機構により回転可能に支持された円筒形状のドラムである。回転ドラム８は、回転ドラム８の周面に沿って印刷媒体１００が送られると、周面と印刷媒体１００との間の摩擦力により、従動回転する。回転ドラム８は、インク吐出部３に対するプラテンとして機能する。
【００２１】
インク吐出部３は、印刷媒体１００に対してＵＶインクを吐出する印刷動作を行う。インク吐出部３は、５つのヘッドユニット１１を備えている。５つのヘッドユニット１１は、回転ドラム８の周面に沿って並び設けられている。５つのヘッドユニット１１は、５種類（例えば、シアン、マゼンタ、イエロー、ブラック、ホワイトの計５色）のＵＶインクと一対一に対応している。もちろん、ヘッドユニット１１の数やＵＶインクの種類数は、特に限定されるものではない。各ヘッドユニット１１は、複数のインクジェットヘッド１２（図２参照）を備えている。ヘッドユニット１１は、回転ドラム８の周面に支持された印刷媒体１００に対して、ＵＶインクを吐出する。これにより、印刷媒体１００上にカラー画像が形成される。
【００２２】
照射部４は、５つの仮硬化用照射器１３と、本硬化用照射器１４とを備えている。５つの仮硬化用照射器１３は、回転ドラム８の周面に沿って、５つのヘッドユニット１１と１つずつ交互に並ぶようにして設けられている。仮硬化用照射器１３は、対応するヘッドユニット１１に対して、印刷媒体１００の送り経路下流側に設けられている。仮硬化用照射器１３は、ＵＶインクが吐出された印刷媒体１００に対して、紫外線を照射する。これにより、印刷媒体１００に着弾した直後のＵＶインクが仮硬化し、ドットの拡がりや混色が抑制される。本硬化用照射器１４は、送り経路の最下流側に設けられた仮硬化用照射器１３よりも、さらに下流側に設けられている。本硬化用照射器１４は、ＵＶインクの吐出および仮硬化が行われた印刷媒体１００に対し、仮硬化用照射器１３よりも大きい積算光量の紫外線を照射する。これにより、印刷媒体１００に着弾したＵＶインクが、完全に硬化し、印刷媒体１００に定着する。
なお、仮硬化用照射器１３および本硬化用照射器１４には、例えば、紫外線を照射するＬＥＤ（Light Emitting Diode）ランプ、高圧水銀ランプなどを用いることができる。
【００２３】
図２を参照して、インクカートリッジ（Ｉ／Ｃ）５０およびインク供給部５について説明する。なお、インク供給部５は、色別５種類のＵＶインクに一対一に対応して、５つ設けられているが、図２では、一つのみ示す。
【００２４】
インクカートリッジ５０は、インクパック５１と、ケース５２と、記憶素子５３とを備えている。インクパック５１には、ＵＶインクが収容されている。インクパック５１は、可撓性を有するシート部材により、マチ付きの袋状に構成されている。インクパック５１の容量は、特に限定されるものではないが、各ヘッドユニット１１のインク消費量を考慮して、比較的大容量（例えば数リットル）のものが好適に用いられる。そのため、インクパック５１の材質としては、保管安定性や耐久性の点から、剛性の高いものが好ましい。
なお、インクカートリッジ５０は、「インク収容部」の一例である。インクパック５１は、「インク収容体」の一例である。
【００２５】
ケース５２は、インクパック５１を収容する。記憶素子５３には、後述するように、印刷装置１によって仮インクエンド状態およびインクエンド状態などが書き込まれる。なお、インクカートリッジ５０が新品の状態では、記憶素子５３に仮インクエンド状態およびインクエンド状態が書き込まれてはいない。記憶素子５３としては、例えばＩＣ（Integrated Circuit）チップを用いることができる。
【００２６】
インク供給部５は、インクカートリッジ５０に収容されたＵＶインクを、サブタンク２３を介して、ヘッドユニット１１に供給する。インク供給部５は、スロット２１と、インク供給流路２２と、サブタンク２３と、タンク送液ポンプ２４と、インクエンドセンサー２５と、開閉弁２６と、カートリッジ制御回路２７と、表示・操作部２８と、制御部２９とを備えている。
なお、サブタンク２３は、「インク送液先」の一例である。タンク送液ポンプ２４は、「インク送液部」の一例である。インクエンドセンサー２５は、「検出部」の一例である。開閉弁２６は、「切替部」の一例である。制御部２９は、「制御部」の一例である。スロット２１は、「保持部」の一例である。カートリッジ制御回路２７は、「書込み部」の一例である。
【００２７】
スロット２１は、各インク供給部５において、２つ設けられている。２つのスロット２１には、インクカートリッジ５０が１つずつ装着される。後述するように、制御部２９により、２つのスロット２１のなかから一のスロット２１が、送液スロット（送液収容部）として選択される（２つのスロット２１のうち、送液スロットとして選択されなかった方のスロット２１を非送液スロットと称する。）。送液スロットとして選択されたスロット２１に装着されたインクカートリッジ５０が、サブタンク２３への送液源となる。そして、送液スロットとして選択されたスロット２１に装着されたインクカートリッジ５０がインクエンド状態、つまりインク残量が略「０」の状態になった場合には、制御部２９により、非送液スロットに装着されている他方のインクカートリッジ５０が送液スロットとして選択される。これにより、インクカートリッジ５０からサブタンク２３への送液が中断しないようになっている。
なお、スロット２１には、図示しない扉が設けられている。この扉は、例えば、インクカートリッジ５０を交換する際に開閉される。
【００２８】
スロット２１は、印刷装置１全体では、計１０個（５種類×２つ）設けられている。各スロット２１には、１から１０までのスロット番号が割り振られている。例えば、シアンのインクカートリッジ５０が装着されるスロット２１のスロット番号は、１または２である。マゼンタのインクカートリッジ５０が装着されるスロット２１のスロット番号は、３または４である。イエローのインクカートリッジ５０が装着されるスロット２１のスロット番号は、５または６である。ブラックのインクカートリッジ５０が装着されるスロット２１のスロット番号は、７または８である。ホワイトのインクカートリッジ５０が装着されるスロット２１のスロット番号は、９または１０である。ここで、各スロット番号に対応して、各スロット２１を「スロット番号」番のスロット２１と呼ぶ。例えばスロット番号が１であるスロット２１は、１番のスロット２１と呼ぶものとする。
【００２９】
インク供給流路２２は、上流側から順に、２つのパック別流路３１と、パックタンク間流路３２と、インク循環流路３３とを備えている。２つのパック別流路３１は、２つのインクカートリッジ５０と一対一に対応して設けられている。各パック別流路３１の上流端は、インクパック５１に接続されている。２つのパック別流路３１の下流端は、分岐継手（図示省略）を介して、パックタンク間流路３２の上流端に接続されている。各パック別流路３１には、開閉弁２６が設けられている。
【００３０】
パックタンク間流路３２は、パック別流路３１とサブタンク２３との間を接続している。パックタンク間流路３２には、上流側から順に、インクエンドセンサー２５と、タンク送液ポンプ２４とが接続されている。
【００３１】
インク循環流路３３は、サブタンク２３から流出したＵＶインクが、ヘッドユニット１１を経て、サブタンク２３に戻る流路である。インク循環流路３３には、インク循環ポンプ３４と、熱交換器３５とが設けられている。インク循環ポンプ３４は、インク循環流路３３内のＵＶインクを循環させる。熱交換器３５は、インク循環流路３３内のＵＶインクを、図示しない温水循環流路内を循環する温水により加熱する。これにより、インク循環流路３３内のＵＶインクが、所定の温度、すなわちＵＶインクがインクジェットヘッド１２からの吐出に適した粘度となる温度（例えば３６℃）、に保たれる。
【００３２】
サブタンク２３は、インクパック５１から送液されたＵＶインクを、一時的に貯留する。サブタンク２３には、フロートセンサー３６が設けられている。フロートセンサー３６は、ヘッドユニット１１からＵＶインクが吐出され、サブタンク２３内のインク量が所定量よりも少なくなると、ＯＮ状態になる。これにより、タンク送液ポンプ２４が稼動し、インクパック５１からサブタンク２３にＵＶインクが補給される。
【００３３】
タンク送液ポンプ２４は、パックタンク間流路３２に設けられている。タンク送液ポンプ２４は、インクパック５１に収容されたＵＶインクを、サブタンク２３に送液する。インクエンドセンサー２５は、タンク送液ポンプ２４よりも上流側に位置して、パックタンク間流路３２に設けられている。インクエンドセンサー２５は、インクパック５１からの送液量の減少に伴いインク圧力が減少すると、ＯＮ状態になる。これにより、インクパック５１について、タンク送液ポンプ２４が稼動してもサブタンク２３にＵＶインクが送液されない状態（以下「送液不可状態」という。）が検出される。
【００３４】
開閉弁２６は、パック別流路３１を開閉する。開閉弁２６により、サブタンク２３への送液源となるインクカートリッジ５０が切り替えられる。すなわち、制御部２９により、２つの開閉弁２６のうち、送液スロットとして選択されたスロット２１に対応した開閉弁２６が開状態とされ、他方のスロット２１に対応した開閉弁２６が閉状態とされる。これにより、２つのインクパック５１のうち、送液スロットとして選択されたスロット２１に装着されたインクカートリッジ５０が、サブタンク２３への送液源となる。開閉弁２６としては、例えば電磁弁を用いることができる。
【００３５】
カートリッジ制御回路２７は、２つのスロット２１に一対一に対応して、２つ設けられている。カートリッジ制御回路２７は、制御部２９による制御の下、スロット２１に装着されたインクカートリッジ５０の記憶素子５３に記憶された各種情報を読み出したり、記憶素子５３に各種情報を書き込んだりする。
【００３６】
表示・操作部２８は、ユーザーに対して各種情報を表示する。また、表示・操作部２８は、ユーザーからの各種入力操作を受け付ける。表示・操作部２８としては、例えば、タッチパネルを用いることができる。
【００３７】
制御部２９は、図示しないＣＰＵ（Central Processing Unit）、ＲＯＭ（Read Only Memory）、ＲＡＭ（Random Access Memory）などを備えている。制御部２９のＣＰＵは、ＲＯＭからプログラムをロードしてＲＡＭを用いて実行し、インク供給部５の各部を制御する。なおＲＡＭには、各スロット２１が送液スロットとなり得るか否かの情報（送液スロット可否情報）や、各色に対応したインク供給部５ごとに、２つのスロット２１（ｎ番のスロット２１と（ｎ＋１）番のスロット２１）のうち、いずれが使用中であるか（いずれが送液スロットであるか）を示す情報（使用送液スロット情報）などが記憶されている。
【００３８】
制御部２９は、後述するように、記憶素子５３にインクエンド状態が書き込まれたインクカートリッジ５０が装着されたスロット２１は、送液スロットとして選択しないようにしている。すなわち、制御部２９は、インクカートリッジ５０の記憶素子５３にインクエンド状態が書き込まれると、そのインクカートリッジ５０が装着されたスロット２１に対応する開閉弁２６を開状態にしないようにしている。その結果、記憶素子５３にインクエンド状態が書き込まれたインクパック５１からは、サブタンク２３にＵＶインクが送液されなくなる。
【００３９】
上述したように、インクパック５１は剛性の高いものが好適に用いられる。一方、インクパック５１の剛性が高いと、インク残量が減ってきた際の追従性が悪くなるため、意図された部分（例えばマチ部分）でインクパック５１に折れが生じる前に、意図されていない部分でインクパック５１に折れが生じるおそれがある。このような折れは、インク残量が少なくなってきた場合に、特に生じやすい。意図されていない部分で折れが生じると、その折れによってインクパック５１の内部が分断されてしまい、分断されたところまでしかＵＶインクが送液されなくなる。この場合、そのインクパック５１について、ＵＶインクがまだ残っている段階で、インクエンドセンサー２５により送液不可状態が検出されることになるが、この段階では、ユーザーがインクパック５１の折れを直すことにより、インクパック５１を、タンク送液ポンプ２４が稼動すればサブタンク２３にＵＶインクが送液される状態（以下「送液可能状態」という。）に戻すことが可能である。しかしながら、インクパック５１が送液可能状態に戻ったとしても、送液不可状態の検出後にインクカートリッジ５０の記憶素子５３にインクエンド状態が書き込まれると、そのインクパック５１からサブタンク２３にＵＶインクが送液されなくなるため、インクパック５１にＵＶインクが残ってしまう。
なお、本実施形態では、インクパック５１に、意図されていない部分で折れが生じた場合にも、これを直した後は、インク残量が略「０」となるまでに、再び意図されていない部分での折れによって送液不可状態が生じることは、ほとんどないものとする。
【００４０】
そこで、制御部２９は、後述するカートリッジ管理処理を実行することにより、所定の書込み条件が満たされていない場合には、送液不可状態が検出された場合にも、インクカートリッジ５０の記憶素子５３にインクエンド状態が書き込まれないようにしている。
【００４１】
図３を参照して、制御部２９が実行するカートリッジ管理処理について説明する。制御部２９は、カートリッジ管理処理を開始すると、ステップＳ１において、フロートセンサー３６がＯＮ状態であるか否かを判断する。制御部２９は、フロートセンサー３６がＯＮ状態であると判断した場合（Ｓ１；Ｙｅｓ）、ステップＳ２に進む。制御部２９は、ステップＳ２において、タンク送液ポンプ２４を所定時間駆動する。一方、制御部２９は、フロートセンサー３６がＯＦＦ状態であると判断した場合（Ｓ１；Ｎｏ）、フロートセンサー３６がＯＮ状態であると判断するまで、ステップＳ１を繰り返し行う。
【００４２】
制御部２９は、ステップＳ３において、インクエンドセンサー２５がＯＮ状態であるか否かを判断する。制御部２９は、インクエンドセンサー２５がＯＮ状態ではないと判断した場合（Ｓ３；Ｎｏ）、ステップＳ１に戻る。一方、制御部２９は、インクエンドセンサー２５がＯＮ状態であると判断した場合（Ｓ３；Ｙｅｓ）、ステップＳ４に進む。
【００４３】
制御部２９は、ステップＳ４において、送液スロットとして選択されたスロット２１に装着されているインクカートリッジ５０の記憶素子５３に、仮インクエンド状態が書き込まれているか否かを判断する。制御部２９は、記憶素子５３に仮インクエンド状態が書き込まれていると判断した場合（Ｓ４；Ｙｅｓ）、ステップＳ５に進む。制御部２９は、ステップＳ５において、その記憶素子５３にインクエンド状態を書き込むようにカートリッジ制御回路２７を制御し、ステップＳ７に進む。一方、制御部２９は、記憶素子５３に仮インクエンド状態が書き込まれていないと判断した場合（Ｓ４；Ｎｏ）、ステップＳ６に進む。制御部２９は、ステップＳ６において、その記憶素子５３に仮インクエンド状態を書き込むようにカートリッジ制御回路２７を制御し、ステップＳ７に進む。
【００４４】
このように、制御部２９は、インクエンドセンサー２５により１回目の送液不可状態が検出されると、記憶素子５３に仮インクエンド状態が書き込まれていないため（Ｓ４；Ｎｏ）、記憶素子５３に仮インクエンド状態を書き込むようにカートリッジ制御回路２７を制御する（Ｓ６）。そして、制御部２９は、インクエンドセンサー２５により２回目の送液不可状態が検出されると、記憶素子５３に仮インクエンド状態が書き込まれているため（Ｓ４；Ｙｅｓ）、記憶素子５３にインクエンド状態を書き込むようにカートリッジ制御回路２７を制御する（Ｓ５）。
【００４５】
制御部２９は、ステップＳ７において、送液スロットとして選択されていたスロット２１を使用不能にする。制御部２９のＲＡＭには、上述したように、送液スロット可否情報が記憶されており、制御部２９は、送液スロットとして選択されていたスロット２１に対応する送液スロット可否情報を、送液スロットになり得ない（送液スロット不可）に書き換えることで、送液スロットとして選択されていたスロット２１を使用不能にする。送液スロットとして選択されていたスロット２１に対応する送液スロット可否情報を、送液スロット不可に書き換えた後に、ステップＳ８に進む。
制御部２９は、ステップＳ８において、非送液スロットが送液スロットになり得るかどうかの判定を行う。制御部２９は、ＲＡＭに記憶されている送液スロット可否情報に基づき、非送液スロットが送液スロットになり得るかどうかを判定する。制御部２９は、非送液スロットが送液スロットになり得る場合（Ｓ８；Ｙｅｓ）には、ステップＳ９へ進む。制御部２９は、ステップＳ９において、非送液スロットを送液スロットに切替えた後、ステップＳ１０に進む。制御部２９は、ステップＳ１０において、切替え前の送液スロットであったスロット２１のスロット番号ｘおよびその状態（送液不可状態）を、表示・操作部２８に表示させ、ステップＳ１に戻る。ここで、ユーザーは、表示・操作部２８にインクパック５１が送液不可状態である旨が表示されたのを認識すると、スロット番号ｘに対応するスロット２１の扉を開け、スロット２１に装着されているインクカートリッジ５０を取り出すとともに、インクカートリッジ５０のケース５２を開け、インクパック５１の状態を確認する。インクパック５１のインク残量が略「０」であると思われた場合には、ユーザーは、インクカートリッジ５０を交換する。一方、インクパック５１にＵＶインクが残っているが、意図されていない部分で折りが生じたために、インクパック５１が送液不可状態になったと思われた場合には、ユーザーは、その折りを直し、インクパック５１を送液可能状態に戻し、再びスロット２１に装着する。このとき、スロット番号ｘに対応するスロット２１の扉の開閉に伴い、後述する可否情報書換処理および送液スロット切替処理が実施される。
制御部２９は、非送液スロットが送液スロットになり得ない場合（Ｓ８；Ｎｏ）には、ステップＳ１１へ進む。制御部２９は、ステップＳ１１において、送液スロットであるスロット２１のスロット番号ｘおよびその状態（送液不可状態）と、非送液スロットであるスロット２１のスロット番号ｙおよびその状態（送液スロット不可）とを、表示・操作部２８に表示させるとともに、カートリッジ管理処理を終了する。このとき制御部２９は、カートリッジ管理処理を終了するとともに、印刷装置１による印刷を停止する。
【００４６】
また、制御部２９は、ユーザーによってスロット２１の扉が一旦開かれて再び閉じられる度に、可否情報書換処理を実施し、その後、送液スロット切替処理を実施する。可否情報書換処理は、１または複数の条件のすべてを満たした場合に、扉が開閉されたスロット２１に対応するＲＡＭの送液スロット可否情報を、送液スロットになり得る（送液スロット可）に書き換え、１または複数の条件の１つでも満たしていない場合に、送液スロットになり得ない（送液スロット不可）に書き換える。条件としては、例えば、スロット２１に装着されているインクカートリッジ５０の記憶素子５３に、インクエンド状態が書き込まれていない、スロット２１に装着されているインクカートリッジ５０の記憶素子５３に記憶されているインクの使用期限を過ぎていない、スロット２１にインクカートリッジ５０が装着されている、などがある。本実施形態では、ＲＡＭに記憶されている送液スロット可否情報を常に書き換える例を示したが、ＲＡＭにすでに記憶されている送液スロット可否情報と、送液スロットになり得るかどうかの判定結果とが同じ場合には、ＲＡＭに記憶されている送液スロット可否情報を書き換えずに可否情報書換処理を終了するようにしてもよい。
送液スロット切替処理は、各インク供給部５における２つのスロット２１のうちいずれのスロット２１を送液スロットに設定するかを判定し、送液スロットを決定する（切り替える）処理である。図４および図５を参照して、送液スロット切替処理について説明する。送液スロット切替処理は、各インク供給部５に設けられた２つのスロット２１（ｎ番のスロット２１と（ｎ＋１）番のスロット２１）のうち、送液スロットとなるスロット２１を、必要に応じて切り替えるための処理である。
【００４７】
制御部２９は、送液スロット切替処理を開始すると、ステップＳ１１において、ｎを「１」に初期化する。続いて、制御部２９は、ステップＳ１２において、全インク供給部５に対して、送液スロット切替処理（ステップＳ１３〜ステップＳ３８）が終了したか否かを判断する。制御部２９は、全インク供給部５に対して送液スロット切替処理が終了したと判断した場合（Ｓ１２；Ｙｅｓ）、送液スロット切替処理を終了する。一方、制御部２９は、全インク供給部５に対して送液スロット切替処理が終了していないと判断した場合（Ｓ１２；Ｎｏ）、ステップＳ１３に進む。
【００４８】
制御部２９は、ステップＳ１３において、ｎ番のスロット２１が送液スロットであるか否かを判断する。すなわち、制御部２９は、上述したように、インク供給部５ごとに、使用送液スロット情報をＲＡＭ内に記憶しており、その情報を参照することにより、ｎ番のスロット２１が送液スロットであるか否かを判断する。制御部２９は、ｎ番のスロット２１が送液スロットであると判断した場合（Ｓ１３；Ｙｅｓ）、ステップＳ１４に進む。
【００４９】
制御部２９は、ステップＳ１４において、ｎ番のスロット２１が送液スロットになり得るか否かを判断する。制御部２９は、ＲＡＭに記憶されている送液スロット可否情報に基づいて、ｎ番のスロット２１が送液スロットになり得ると判断した場合（Ｓ１４；Ｙｅｓ）、ステップＳ１５に進む。制御部２９は、ステップＳ１５において、（ｎ＋１）番のスロット２１が送液スロットになり得るか否かを判断する。制御部２９は、ＲＡＭに記憶されている送液スロット可否情報に基づいて、（ｎ＋１）番のスロット２１が送液スロットになり得ると判断した場合（Ｓ１５；Ｙｅｓ）、ステップＳ１６に進む。
【００５０】
制御部２９は、ステップＳ１６において、ｎ番のスロット２１に装着されたインクカートリッジ５０の記憶素子５３に、仮インクエンド状態が書き込まれているか否かを判断する。制御部２９は、ｎ番のスロット２１に装着されたインクカートリッジ５０の記憶素子５３に、仮インクエンド状態が書き込まれていると判断した場合（Ｓ１６；Ｙｅｓ）、ステップＳ１７に進む。制御部２９は、ステップＳ１７において、（ｎ＋１）番のスロット２１に装着されたインクカートリッジ５０の記憶素子５３に、仮インクエンド状態が書き込まれているか否かを判断する。制御部２９は、（ｎ＋１）番のスロット２１に装着されたインクカートリッジ５０の記憶素子５３に、仮インクエンド状態が書き込まれていると判断した場合（Ｓ１７；Ｙｅｓ）、ステップＳ１８に進む。
【００５１】
制御部２９は、ステップＳ１８において、ｎ番のスロット２１に装着されたインクカートリッジ５０のインク残量が、（ｎ＋１）番のスロット２１に装着されたインクカートリッジ５０のインク残量よりも多いか否かを判断する。すなわち、制御部２９は、インクカートリッジ５０ごとのインク残量を、ＲＡＭ内あるいは記憶素子５３に記憶しており、その情報を参照することにより、ｎ番のスロット２１に装着されたインクカートリッジ５０のインク残量が、（ｎ＋１）番のスロット２１に装着されたインクカートリッジ５０のインク残量よりも多いか否かを判断する。なお、インクカートリッジ５０ごとのインク残量は、例えば、ヘッドユニット１１ごとのＵＶインクの吐出量、タンク送液ポンプ２４の駆動時間、インクパック５１の重量変化などに基づいて求めることが可能である。
【００５２】
制御部２９は、ｎ番のスロット２１に装着されたインクカートリッジ５０のインク残量が、（ｎ＋１）番のスロット２１に装着されたインクカートリッジ５０のインク残量よりも多くないと判断した場合（Ｓ１８；Ｎｏ）、ステップＳ１９に進む。制御部２９は、ステップＳ１９において、ｎ番のスロット２１を、送液スロットとして選択し、ステップＳ３８に進む。一方、制御部２９は、ｎ番のスロット２１に装着されたインクカートリッジ５０のインク残量が、（ｎ＋１）番のスロット２１に装着されたインクカートリッジ５０のインク残量よりも多いと判断した場合（Ｓ１８；Ｙｅｓ）、ステップＳ２１に進む。制御部２９は、ステップＳ２１において、（ｎ＋１）番のスロット２１を、送液スロットとして選択し、ステップＳ３８に進む。
【００５３】
このように、制御部２９は、［Ａn、Ａ(n+1)、Ｂn、Ｂ(n+1)］＝［０，０，３，３］であった場合（Ｓ１７；Ｙｅｓ）、インク残量の少ないインクカートリッジ５０が装着されたスロット２１を、送液スロットとして選択する。
ここで、Ａn、Ａ(n+1)、Ｂn、Ｂ(n+1)は、いかのように定義される。
Ａn：ｎ番のスロット２１が送液スロットになり得るか否か
Ａ(n+1)：（ｎ＋１）番のスロット２１が送液スロットになり得るか否か
Ｂn：ｎ番のスロット２１に装着されたインクカートリッジ５０の仮インクエンド状態またはインクエンド状態
Ｂ(n+1)：（ｎ＋１）番のスロット２１に装着されたインクカートリッジ５０の仮インクエンド状態またはインクエンド状態
また、「０」は、スロット２１が送液スロットになり得る場合、「１」は、スロット２１が送液スロットになり得ない場合、「２」は、仮エンド状態およびインクエンド状態のいずれも記憶素子５３に書き込まれていない場合、「３」は、仮エンド状態が記憶素子５３に書き込まれている場合、を示す。
【００５４】
制御部２９は、ステップＳ１７において、（ｎ＋１）番のスロット２１に装着されたインクカートリッジ５０の記憶素子５３に、仮インクエンド状態が書き込まれていないと判断した場合（Ｓ１７；Ｎｏ）、ステップＳ１９に進み、ｎ番のスロット２１を、送液スロットとして選択する。また、制御部２９は、ステップＳ１６において、ｎ番のスロット２１に装着されたインクカートリッジ５０の記憶素子５３に、仮インクエンド状態が書き込まれていないと判断した場合（Ｓ１６；Ｎｏ）、ステップＳ２０に進む。制御部２９は、ステップＳ２０において、ステップＳ１７と同様に、（ｎ＋１）番のスロット２１に装着されたインクカートリッジ５０の記憶素子５３に、仮インクエンド状態が書き込まれているか否かを判断する。制御部２９は、ステップＳ２０において、（ｎ＋１）番のスロット２１に装着されたインクカートリッジ５０の記憶素子５３に、仮インクエンド状態が書き込まれていないと判断した場合（Ｓ２０；Ｎｏ）、ステップＳ２２に進み、ｎ番のスロット２１を、送液スロットとして選択する。
【００５５】
このように、制御部２９は、［Ａn、Ａ(n+1)、Ｂn、Ｂ(n+1)］＝［０，０，３，２］であった場合、また、［Ａn、Ａ(n+1)、Ｂn、Ｂ(n+1)］＝［０，０，２，２］であった場合は、送液スロットであったｎ番のスロット２１を、そのまま送液スロットとして選択する（Ｓ１９またはＳ２２）。
【００５６】
制御部２９は、ステップＳ２０において、（ｎ＋１）番のスロット２１に装着されたインクカートリッジ５０の記憶素子５３に、仮インクエンド状態が書き込まれていると判断した場合（Ｓ２０；Ｙｅｓ）、ステップＳ２１に進む。制御部２９は、ステップＳ２１において、（ｎ＋１）番のスロット２１を、送液スロットとして選択し、ステップＳ３８に進む。
【００５７】
このように、制御部２９は、［Ａn、Ａ(n+1)、Ｂn、Ｂ(n+1)］＝［０，０，２，３］であった場合、仮インクエンド状態が書き込まれているインクカートリッジ５０が装着された（ｎ＋１）番のスロット２１を、送液スロットとして選択する（Ｓ２１）。
【００５８】
制御部２９は、ステップＳ１４において、ＲＡＭに記憶されている送液スロット可否情報に基づいて、ｎ番のスロット２１が送液スロットになり得ないと判断した場合（Ｓ１４；Ｎｏ）、ステップＳ２３に進む。制御部２９は、ステップＳ２３において、ステップＳ１５と同様に、（ｎ＋１）番のスロット２１が送液スロットになり得るか否かを判断する。制御部２９は、ＲＡＭに記憶されている送液スロット可否情報に基づいて、（ｎ＋１）番のスロット２１が送液スロットになり得ると判断した場合（Ｓ２３；Ｙｅｓ）、ステップＳ２４に進む。制御部２９は、ステップＳ２４において、（ｎ＋１）番のスロット２１を、送液スロットとして選択し、ステップＳ３８に進む。
【００５９】
このように、制御部２９は、［Ａn、Ａ(n+1)］＝［１，０］であった場合、送液スロットになり得る（ｎ＋１）番のスロット２１を、送液スロットとして選択する（Ｓ２４）。
なお、ステップＳ１９、ステップＳ２１、ステップＳ２２およびステップＳ２４では、送液スロットを選択した後に、ＲＡＭ内に記憶されている、選択されたスロット２１に対応するインク供給部５の使用送液スロット情報に対して、送液スロットがどのスロット２１であるか（ｎ番のスロット２１または（ｎ＋１）番のスロット２１）を書き込み（書き換え）、その後ステップＳ３８に進む。
【００６０】
制御部２９は、ステップＳ２３において、ＲＡＭに記憶されている送液スロット可否情報に基づいて、（ｎ＋１）番のスロット２１が送液スロットになり得ないと判断した場合（Ｓ２３；Ｎｏ）、ステップＳ２５に進む。制御部２９は、ステップＳ２５において、表示・操作部２８にエラー表示をさせ、ステップＳ３８に進む。
【００６１】
このように、制御部２９は、［Ａn、Ａ(n+1)］＝［１，１］であった場合、いずれのスロット２１も送液スロットとして選択せず、表示・操作部２８にエラー表示を行わせることにより、ユーザーにインクカートリッジ５０の交換を促す。
【００６２】
制御部２９は、ステップＳ１３において、ｎ番のスロット２１が送液スロットではないと判断した場合（Ｓ１３；Ｎｏ）、ステップＳ２６に進む。ステップＳ２６からステップＳ３７までの各ステップは、上述したステップＳ１４からステップＳ２５までの各ステップと同様であるため、ここでは説明を省略する。
【００６３】
制御部２９は、ステップＳ３８において、ｎの値をｎ＋２に変更（ｎ＝ｎ＋２）し、ステップＳ１２に戻る。以上のようにして、制御部２９は、インク供給部５ごとに、送液スロット切替処理を行う。
【００６４】
以上のように、本実施形態の印刷装置１では、インクエンドセンサー２５により１回目の送液不可状態が検出されると、記憶素子５３に仮インクエンド状態が書き込まれていないため、カートリッジ制御回路２７により記憶素子５３に仮インクエンド状態が書き込まれる。そして、インクエンドセンサー２５により２回目の送液不可状態が検出されると、記憶素子５３に仮インクエンド状態が書き込まれているため、カートリッジ制御回路２７により記憶素子５３にインクエンド状態が書き込まれる。このため、１回目の送液不可状態については、インクパック５１にＵＶインクが残っている段階で送液不可状態が検出されたとしても、検出後に記憶素子５３にインクエンド状態が書き込まれないため、送液不可状態の検出後にインクパック５１が送液可能状態に戻れば、そのインクパック５１からサブタンク２３にＵＶインクが再び送液される。したがって、印刷装置１は、インクパック５１にＵＶインクが残ってしまうことを抑制することができる。
【００６５】
印刷装置１は、２つのインクカートリッジ５０のうち、一方のインクカートリッジ５０について、記憶素子５３に仮インクエンド状態が書き込まれているがインクエンド状態は書き込まれておらず、他方のインクカートリッジ５０について、記憶素子５３に仮インクエンド状態が書き込まれていない場合、仮インクエンド状態が書き込まれているインクカートリッジ５０が装着されているスロット２１を、送液スロットとして選択する。このため、２つのスロット２１のなかから、インク残量の少ない、仮インクエンド状態が書き込まれているインクカートリッジ５０が装着されているスロット２１が、送液スロットとして選択されることになる。したがって、印刷装置１は、仮インクエンド状態が書き込まれていないインクカートリッジ５０に比べ、インク残量が少なく、使用期限がより迫っていると考えられる、仮インクエンド状態が書き込まれているインクカートリッジ５０を、優先的に使用することができる。
【００６６】
なお、本発明は上記した実施形態に限定されず、その趣旨を逸脱しない範囲で種々の構成を採用可能であることは言うまでもない。例えば、本実施形態は、以下のような形態に変更することができる。
【００６７】
カートリッジ制御回路２７が記憶素子５３にインクエンド状態を書き込むための書込み条件は、特に限定されるものではない。
例えば、カートリッジ制御回路２７は、インクパック５１についてｎ回目（ｎは２以上の所定の自然数）の送液不可状態が検出されたことを、書込み条件としてもよい。具体的には、インクパック５１に、意図されていない部分で折れが生じた場合に、これを直した後も、インク残量が略「０」となるまでに、もう１回、意図されていない部分での折れによって送液不可状態が生じ得る場合、カートリッジ制御回路２７は、３回目の送液不可状態の検出を、書込み条件としてもよい。この場合、２回目までの送液不可状態については、インクエンドセンサー２５により送液不可状態が検出されても、カートリッジ制御回路２７により記憶素子５３にインクエンド状態が書き込まれない。このため、２回目までの送液不可状態については、インクパック５１にＵＶインクが残っている段階で送液不可状態が検出されたとしても、検出後に記憶素子５３にインクエンド状態が書き込まれないため、送液不可状態の検出後にインクパック５１が送液可能状態に戻れば、そのインクパック５１からサブタンク２３にＵＶインクが再び送液される。したがって、印刷装置１は、インクパック５１にＵＶインクが残ってしまうことを抑制することができる。
また、カートリッジ制御回路２７は、インクエンド状態の記憶素子５３への書込みを許可する書込み指示が、ユーザーによって為されたことを、書込み条件としてもよい。インクパック５１について送液不可状態が検出された後、ユーザーが、インクパック５１の状態を確認し、インク残量が略「０」であった場合には、インクエンド状態の書込みを許可する旨の操作を、表示・操作部２８に対して行う。この場合、カートリッジ制御回路２７により記憶素子５３にインクエンド状態が書き込まれる。一方、インクパック５１について送液不可状態が検出された後、ユーザーが、インクパック５１の状態を確認し、インクパック５１にＵＶインクが残っているが、意図されていない部分で折りが生じたために、インクパック５１が送液不可状態になったと思われた場合には、インクエンド状態の書込みを許可しない旨の操作を、表示・操作部２８に対して行う。この場合、カートリッジ制御回路２７により記憶素子５３にインクエンド状態が書き込まれない。このため、インクパック５１にＵＶインクが残っている段階で送液不可状態が検出されたとしても、書込み指示が為されなければ、検出後に記憶素子５３にインクエンド状態が書き込まれないため、インクパック５１が送液可能状態に戻れば、インクパック５１からサブタンク２３にＵＶインクが再び送液される。したがって、印刷装置１は、インクパック５１にＵＶインクが残ってしまうことを抑制することができる。
【００６８】
制御部２９は、上記のステップＳ１８において、ｎ番のスロット２１に装着されたインクカートリッジ５０および（ｎ＋１）番のスロット２１に装着されたインクカートリッジ５０のいずれにも、仮インクエンド状態が書き込まれている場合に、インク残量が少ない方を、送液スロットとして選択したが、送液スロットの選択基準は、これに限定されるものではない。例えば、制御部２９は、各記憶素子５３に記憶された使用期限を読み出し、使用期限がより迫っているインクカートリッジ５０が装着されているスロット２１を、送液スロットとして選択してもよい。また、制御部２９は、各記憶素子５３に記憶された製造日を読み出し、製造日がより古いインクカートリッジ５０が装着されているスロット２１を、送液スロットとして選択してもよい。ステップＳ３０についても同様である。
【００６９】
制御部２９は、２つのスロット２１のなかから、一のスロット２１を、送液スロットとして選択する代わりに、２つのインクカートリッジ５０のなかから、一のインクカートリッジ５０を、送液カートリッジとして選択してもよい。この場合、制御部２９は、送液カートリッジとして選択されたインクカートリッジ５０が、サブタンク２３への送液源となるように、開閉弁２６を制御すればよい。
また、スロット２１の扉に電磁ロックを設け、印刷装置１が印刷を実施している間は、送液スロットの扉が開かないように、制御部２９は制御してもよい。
また送液スロット切替処理は、ｎ＝１から、全インク供給部のスロット切替処理が終了するまで実施する例を示したが、スロット２１の扉が開閉されたスロット２１の番号をステップＳ１１でｎに代入し、ステップＳ３８は送液スロット切替処理を終了する処理としてもよい。
【００７０】
各インク供給部５におけるスロット２１の数は、特に限定されるものではなく、１つであってもよく、３つ以上であってもよい。
インクの種類は、特に限定されるものではなく、例えば、他の光硬化性インクであってもよく、水性インク、油性インクなどであってもよい。
印刷媒体１００は、連続紙に限定されるものではなく、例えば、単票紙であってもよく、厚紙、プラスチック板などであってもよい。
【符号の説明】
【００７１】
１      ：印刷装置
２３    ：サブタンク
２４    ：タンク送液ポンプ
２５    ：インクエンドセンサー
２７    ：カートリッジ制御回路
５０    ：インクカートリッジ
５１    ：インクパック
５３    ：記憶素子
【図１】
2016163983.tif 000003
【図２】
2016163983.tif 000004
【図３】
2016163983.tif 000005
【図４】
2016163983.tif 000006
【図５】
2016163983.tif 000007